(57)【特許請求の範囲】
【請求項１】
来訪者が居住者を呼び出すために玄関に設置された子機と、前記子機からの呼び出しに応答するために宅内に設置された親機と、居住者が携行して前記親機と携帯電話網を介した通信を実施することで前記子機からの呼び出しに応答することが可能な携帯端末とを有するインターホンシステムであって、
宅内に前記親機と前記携帯端末との間で前記携帯電話網を使用しない内線通信を可能とする無線ＬＡＮアクセスポイントを備える一方、
前記無線ＬＡＮアクセスポイントの通信エリアより広いエリアであって、自宅を中心として予め設定された特定エリアを記憶し、前記携帯端末が前記特定エリアの内外何れであるか把握して汎用通信網を介して前記携帯端末に通知するサーバを備えると共に、前記携帯端末はＧＰＳ受信機能を備えて自身の位置情報を前記サーバに通知する機能を有し、
前記親機は、前記サーバが把握している前記携帯端末の前記特定エリアの内外何れであるかの位置情報を入手して、前記携帯端末が前記特定エリア内にある場合は、前記子機が呼出操作されても前記携帯端末に対して前記携帯電話網を使用した呼び出しを実施しない親機通信制御部を有することを特徴とするインターホンシステム。  
【請求項２】
前記親機は、前記携帯端末が前記サーバから通知された前記特定エリアの内外何れであるかの位置情報を前記親機に送信することで、前記携帯端末の前記特定エリアの内外何れであるかの位置情報を入手することを特徴とする請求項１記載のインターホンシステム。
【請求項３】
前記携帯端末が、前記特定エリアを設定する特定エリア設定部を有することを特徴とする請求項１又は２記載のインターホンシステム。
【発明の詳細な説明】
【技術分野】
【０００１】
本発明は子機と親機を有するインターホンシステムに関し、特に子機が呼出操作されたら、親機に加えて携帯端末に対しても呼出信号が送信されるインターホンシステムに関する。
【背景技術】
【０００２】
玄関等の宅外に設置された子機が呼出操作されたら、宅内に設置された親機に加えて居住者が携行する携帯端末に対しても呼出信号が送信されて、携帯端末からでも応答できるインターホンシステムがある。このようなシステムでは、携帯電話網を使用するため、宅内ではインターホン機器と直接通信することで、携帯端末の使用を削減して使用料金を削減する工夫がなされている。
例えば、特許文献１では親機に接続された無線ＬＡＮアクセスポイントを宅内に設置して、携帯端末が宅内にある場合は、無線ＬＡＮアクセスポイントを介して親機と直接通信することで、携帯電話網を介さずに子機からの呼び出しに携帯端末で応答できる構成としている。
【先行技術文献】
【特許文献】
【０００３】
【特許文献１】特開２００８−２５２３１６号公報
【発明の概要】
【発明が解決しようとする課題】
【０００４】
上述したように、無線ＬＡＮアクセスポイントを住戸内に備えることで、宅内に携帯端末があって無線ＬＡＮアクセスポイントと通信可能な状態にある時は、携帯電話網を介さずに呼び出しに対して携帯端末で応答できた。
しかしながら、自宅に居ても庭等の無線ＬＡＮアクセスポイントと通信ができないエリアに携行者が居る場合は、相変わらず携帯電話網を介して呼び出しが行われた。
【０００５】
ところが、無線ＬＡＮアクセスポイントの電波が届かない場所に携行者が出ている場合でも、自宅の敷地内であれば親機の発する呼出音が聞こえる場合が多い。そのため、携帯端末が宅内の無線ＬＡＮアクセスポイントと通信できない状況であっても、自宅にいる居住者の携帯端末に対して携帯電話網を介した呼び出しを実施しなくても良い。
【０００６】
そこで、本発明はこのような問題点に鑑み、携帯端末の携行者が自宅の庭等の親機の発する呼出音が聞こえるエリアに居る場合は、携帯電話網を使用した呼び出しを実施しないインターホンシステムを提供することを目的としている。
【課題を解決するための手段】
【０００７】
上記課題を解決する為に、請求項１の発明は、来訪者が居住者を呼び出すために玄関に設置された子機と、子機からの呼び出しに応答するために宅内に設置された親機と、居住者が携行して親機と携帯電話網を介した通信を実施することで子機からの呼び出しに応答することが可能な携帯端末とを有するインターホンシステムであって、宅内に親機と携帯端末との間で携帯電話網を使用しない内線通信を可能とする無線ＬＡＮアクセスポイントを備える一方、無線ＬＡＮアクセスポイントの通信エリアより広いエリアであって、自宅を中心として予め設定された特定エリアを記憶し、携帯端末が特定エリアの内外何れであるか把握して汎用通信網を介して携帯端末に通知するサーバを備えると共に、携帯端末はＧＰＳ受信機能を備えて自身の位置情報をサーバに通知する機能を有し、親機は、サーバが把握している携帯端末の特定エリアの内外何れであるかの位置情報を入手して、携帯端末が特定エリア内にある場合は、子機が呼出操作されても携帯端末に対して携帯電話網を使用した呼び出しを実施しない親機通信制御部を有することを特徴とする。
この構成によれば、携帯端末が予め設定された特定エリア内にある場合は、携帯端末に対して携帯電話網を使用した呼出信号の送信が行われない。そのため、特定エリアを例えば自宅の庭等、親機が発する呼出音が聞こえる範囲に設定すれば、携帯端末が呼出動作しなくても応答することが可能であり、携帯電話網を使用する不要な通信を削減できる。
また、宅内に設置した無線ＬＡＮアクセスポイントと携帯端末とが通信可能な場合は、携帯端末の内線通話で応答でき、利便性が良い。
【０００８】
請求項２の発明は、請求項１に記載の構成において、親機は、携帯端末がサーバから通知された特定エリアの内外何れであるかの位置情報を親機に送信することで、携帯端末の特定エリアの内外何れであるかの位置情報を入手することを特徴とする。
この構成によれば、親機は携帯端末を介してサーバが管理している携帯端末の特定エリアに対する位置情報を入手するため、サーバは携帯端末に対してのみ位置情報を送信すれば良く、送信を単純化でき通信の不具合発生を削減できる。また、携帯端末は自身が特定エリアの内外何れに位置しているかの情報を有するため、携行者はそれを把握し易い。
【００１０】
請求項３の発明は、請求項１又は２に記載の構成において、携帯端末が、特定エリアを設定する特定エリア設定部を有することを特徴とする。
この構成によれば、携帯端末から特定エリアを設定できるため、居住者の都合に合わせて容易に設定でき利便性が良い。
【発明の効果】
【００１１】
本発明によれば、携帯端末が予め設定された特定エリア内にある場合は、携帯端末に対して携帯電話網を使用した呼出信号の送信が行われない。そのため、特定エリアを例えば自宅の庭等、親機が発する呼出音が聞こえる範囲に設定すれば、携帯端末が呼出動作しなくても応答することが可能であり、携帯電話網を使用する不要な通信を削減できる。
【図面の簡単な説明】
【００１２】
【図１】本発明に係るインターホンシステムの一例を示す構成図であり、主要機器をブロック図で示している。
【発明を実施するための形態】
【００１３】
以下、本発明を具体化した実施の形態を、図面を参照して詳細に説明する。図１は本発明に係るインターホンシステムの一例を示す構成図であり、主要機器をブロック図で示している。図１において、１は玄関等に設置されて来訪者が居住者を呼び出して通話するための子機、２は宅内に設置されて子機１からの呼び出しに応答するための親機、３は携帯電話としての機能を備えた携帯端末、４は宅内に設置されて携帯端末３と通信が可能な無線ＬＡＮアクセスポイント、５は携帯端末３を管理するサーバである。
【００１４】
子機１と親機２とは伝送線Ｌ１を介して接続され、親機２は無線ＬＡＮアクセスポイント４を介してインターネット等の汎用通信網Ｎ１、及び携帯電話網Ｎ２に接続されている。この接続により、親機２は汎用通信網Ｎ１を介してサーバ５と、携帯電話網Ｎ２を介して携帯端末３と通信が可能となっている。更に、無線ＬＡＮアクセスポイント４と携帯端末３とが通信可能な状態では、親機２は携帯端末３と無線ＬＡＮ通信（（例えば、ＩＥＥＥ８０２．１１に準ずる規格に準拠する通信をいい、以下これを「内線通信」と称する）が可能となっている。また、サーバ５は汎用通信網Ｎ１を介して携帯端末３と通信を実施する。
尚、汎用通信網Ｎ１及び携帯電話網Ｎ２は何れも公衆通信網であり、双方は殆どが共通のネットワークで構成されている。
【００１５】
子機１は、呼出操作する呼出ボタン１１、来訪者を撮像する子機カメラ１２、通話するためのマイク１３及びスピーカ１４、子機を制御する子機ＣＰＵ１５、親機２と通信するための子機通信ＩＦ１６等を備えている。
【００１６】
親機２は、子機１からの呼び出しに応答する操作に加えて各種設定操作を行う親機操作部２１、通話するためのマイク２２及びスピーカ２３、子機カメラ１２の撮像映像を表示するモニタ２４、アプリケーションソフトウェア等を保存する親機記憶部２５、親機２を制御する親機ＣＰＵ２６、子機１と通信すると共に無線ＬＡＮアクセスポイント４及び携帯電話網Ｎ２を介して携帯端末３と通信を実施し、更に汎用通信網Ｎ１を介してサーバ５と通信するための親機通信ＩＦ２７等を備えている。
【００１７】
また親機ＣＰＵ２６は、サーバ５が管理している携帯端末３の後述するジオフェンスに対する内外の位置情報を基に、携帯端末３に対して呼出信号の送信の可否を判断する。これは、ジオフェンス内である場合は呼出信号を送信しないよう制御するもので、所定のアプリケーションソフトウェアをインストールすることで実施され、例えば親機２の所定の操作でサーバ５からインストールされる。
【００１８】
携帯端末３は、各種操作を行うための携帯端末操作部３１、通信相手と通話するための通話部３２、アプリケーションソフトウェア等を保存する携帯端末記憶部３３、携帯端末３を制御する携帯端末ＣＰＵ３４、携帯電話網Ｎ２或いは無線ＬＡＮアクセスポイント４を介して親機２と通信すると共に、汎用通信網Ｎ１を介してサーバ５と通信するための携帯端末通信ＩＦ３５等を備えている。また、ＧＰＳ信号を受信して自身の位置を定期的にサーバ５に発信する機能を備えている。
【００１９】
携帯端末ＣＰＵ３４は、親機２と通信して子機１の呼出操作に基づく呼出信号が送信されたら親機２を介して応答する制御を実施すると共に、特定エリアを区画するジオフェンスの設定制御を行い、設定されたジオフェンス情報はサーバ５に登録される。
このジオフェンスの設定は、所定のアプリケーションソフトウェアをインストールすることで可能となり、例えば携帯端末３の端末操作部３１の所定の操作でサーバ５からインストールされる。
具体的にジオフェンスの設定は、携帯端末３をジオフェンス設定モードに移行させ、自宅敷地が四角形であれば、例えば４隅に移動してＧＰＳ機能を使用して各点の位置情報（緯度及び経度）をセットすることでエリア設定が成され、この特定エリアがジオフェンスとなる。
【００２０】
そして、このアプリケーションソフトウェアのインストールにより、携帯端末ＣＰＵ３４は、サーバ５からジオフェンスに対する内外の位置情報を受信したら、その情報を自動的に親機２に送信する。
【００２１】
更に携帯端末３は、無線ＬＡＮアクセスポイント４からＩＰアドレスを取得する機能、無線ＬＡＮアクセスポイント４のＳＳＩＤを取得する機能を有して、携帯端末ＣＰＵ３４は無線ＬＡＮアクセスポイント４と通信可能状態となったら通信回線を無線ＬＡＮアクセスポイント４を使用する回線とし、親機２と通信する場合は携帯電話網Ｎ２を介さない内線通信となる。
【００２２】
サーバ５は、携帯端末３により設定されたジオフェンスを記憶すると共に、携帯端末３から携帯端末３の位置情報を常時入手し、ジオフェンスに対する携帯端末３の内外の位置情報を定期的に携帯端末３に汎用通信網Ｎ１を介して通知する。
【００２３】
尚、設定される特定のエリアは、無線ＬＡＮアクセスポイント４の通信エリア（通常、数メートルから数十メートル）を囲むよう広く設定され、例えば自宅の庭を含む範囲で設定される。設定した特定エリアが、無線ＬＡＮアクセスポイント４との接続エリア（通信可能エリア）より狭い場合は、携帯端末３が無線ＬＡＮアクセスポイント４と通信できなければ自動的に携帯電話網Ｎ２を使用する従来の通信形態となる。
【００２４】
上記の如く構成されたインターホンシステムの動作は以下の様である。子機１の呼出ボタン１１が押下されると、子機１から親機２に呼出信号が送信される。呼出信号を受信した親機２は、親機ＣＰＵ２６の制御によりスピーカ２３から呼出音を鳴動し、子機カメラ１２が撮像した映像がモニタ２４に表示される。
【００２５】
このとき、親機２は携帯端末３がジオフェンス外であるとする通知を携帯端末３から受けていたら、親機ＣＰＵ２６は通常呼出可であると判断して携帯電話網Ｎ２を介して呼出信号を携帯端末３に送信して呼び出しを実施する。この結果、呼出信号が携帯電話網Ｎ２を介して携帯端末３に送信される。呼び出しを受けた親機２及び携帯端末３の何れかで応答操作されると、応答操作した機器と子機１との間で通話路が形成され、居住者と来訪者の間で通話が可能となる。
【００２６】
また子機１が呼出操作された時点で、携帯端末３はジオフェンス内であるとする通知を携帯端末３から受けていたら、親機ＣＰＵ２６は通常呼出不可であると判断して携帯電話網Ｎ２を介する呼び出しは実施しない。
【００２７】
更に、携帯端末３がジオフェンス内であって、且つ無線ＬＡＮアクセスポイント４と携帯端末３とが通信不可な状態（通信可能エリアに携帯端末３が存在しない状態）であれば、無線ＬＡＮアクセスポイント４を使用した呼び出しも実施しない。この場合、親機２のみ呼出音を鳴動し、親機２の鳴動に気づいた居住者は親機２から応答することができる。
【００２８】
逆に、携帯端末３がジオフェンス内であって、且つ無線ＬＡＮアクセスポイント４が携帯端末３と通信可能状態であれば、親機ＣＰＵ２６は無線ＬＡＮアクセスポイント４を介して携帯端末３に呼出信号を送信し、親機２と携帯端末３の双方で呼び出しが実施される。この場合、親機２及び携帯端末３の何れでも応答できる。
【００２９】
尚、親機２には通常呼出の可／不可を設定する待受設定部を有し、「通常呼出可」設定とした場合、ジオフェンス内であっても従来通り通常呼出を実施して携帯電話網Ｎ２を使用して携帯端末３に呼出信号が送信される。一方、「通常呼出不可」設定とした場合は、上述した動作を実施して、ジオフェンス内の場合は携帯電話網Ｎ２を使用する呼び出しは実施しない。この待受設定部は、親機操作部２１の一部で構成され、携帯端末３に対する呼出信号の送信可否を判断するアプリケーションソフトウェアのインストールにより設定される。戸外の騒音が大きくジオフェンス内であっても親機２の呼出音が聞こえ難い場合は、「通常呼出可」設定とすると良い。
【００３０】
このように、携帯端末３が予め設定されたジオフェンス内にある場合は、携帯端末３に対して携帯電話網Ｎ２を使用した呼出信号の送信が行われない。そのため、ジオフェンスを例えば自宅の庭等、親機２が発する呼出音が聞こえる範囲に設定すれば、携帯端末３が呼出動作しなくても応答することが可能であり、携帯電話網Ｎ２を使用する不要な通信を削減できる。
また、親機２は携帯端末３を介してサーバ５が管理している携帯端末３の特定エリアに対する位置情報を入手するため、サーバ５は携帯端末３に対してのみ位置情報を送信すれば良く、送信を単純化でき送信の不具合発生を削減できる。加えて、携帯端末３は自身が特定エリアの内外何れに位置しているかの情報を有しているため、携行者はそれを把握し易い。
更に、無線ＬＡＮアクセスポイント４と携帯端末３とが内線通信可能な場合は、携帯端末３で応答でき利便性が良いし、携帯端末３からジオフェンスを設定できるため、居住者の都合に合わせて容易に設定でき利便性が良い。
【００３１】
尚、上記実施形態では、ジオフェンスの設定を携帯端末３により行う構成としているが、親機２により設定しても良く、関連するアプリケーションソフトウェアを親機２にインストールすることで可能となる。また、親機２は携帯端末３のジオフェンスに対する位置情報を携帯端末３から入手しているが、サーバ５から直接入手しても良い。
【符号の説明】
【００３２】
１・・子機、２・・親機、３・・携帯端末、４・・無線ＬＡＮアクセスポイント、５・・サーバ、２６・・親機ＣＰＵ（親機通信制御部）、３１・・携帯端末操作部（特定エリア設定部）、Ｎ１・・汎用通信網（公衆通信網）、Ｎ２・・携帯電話網（公衆通信網）。
【図１】
0006340327.tif 000002